(57)【特許請求の範囲】
【請求項１】
容器体口頸部（１００）外周に嵌合する装着筒（１０）の上端より延設した頂板（１１）中央部に注出筒（１３）を立設し、注出筒（１３）内の頂板（１１）を除去可能に構成し、注出筒（１３）外周に環状の係止突部（１６）を立設してなるキャップ本体（Ａ１）と、
キャップ本体（Ａ１）の後部と周壁（２０）の後部とをヒンジ（５０）を介して連結して開閉可能に設けるとともに、周壁（２０）の上端縁より頂壁（２１）を延設し、係止突部（１６）の外周面を嵌合シールする係合部（２３）を周壁（２０）の内周下端部に環状に凹設してなる蓋体（Ａ２）とを備え、
全体を合成樹脂により形成したキャップであって、
係止突部（１６）の外周上部に係止突条（１７）を、また上記係合部（２３）の内周下部に係合突条（２４）をそれぞれ環状に突設させて、係合突条（２４）が係止突条（１７）を乗り越え係合するとともに、
この係合状態で、係合部（２３）の頂面を係止突部（１６）の上面に当接させ、かつ、蓋体（Ａ２）の周壁（２０）下面の外側周縁部に凹設された嵌合凹部（２６）に、キャップ本体（Ａ１）の上面周縁部から突設された嵌合凸部（１８）を嵌合させ、
嵌合凸部（１８）が、キャップ本体（Ａ１）の上面周縁部左右にそれぞれ突設し、キャップ本体（Ａ１）の外周面に沿った円弧状の外面を備えた円弧板状の突条形態をなし、
嵌合凹部（２６）が、蓋体周壁（２０）下面の外側周縁部左右にそれぞれ凹設され、蓋体周壁（２０）の外周面に沿った円弧状の外面を持つことを特徴とするキャップ。
【請求項２】
キャップ本体（Ａ１）外周と、蓋体（Ａ２）外周との間にシュリンクフィルム（ｆ）を掛け渡し装着した請求項１に記載のキャップ。
【発明の詳細な説明】
【技術分野】
【０００１】
本発明はキャップに関し、詳しくは、容器体に嵌着固定されるキャップ本体と、キャップ本体に対して開閉可能にヒンジ連結された蓋体とを備えたキャップに関する。
【背景技術】
【０００２】
上記キャップ本体及び蓋体を備えたキャップであって、殺菌のため加熱された収容液を充填する容器体に対して、収容液充填後キャップを打栓して容器体内部を殺菌し、次いで容器体外部より温水シャワーで洗浄、冷却することは従来より行われている。
【０００３】
また、この様なキャップにおいて、キャップの打栓時に、上方から押圧することにより蓋体をキャップ本体に対して下降させるとともに、蓋体を変形させ、キャップ内から外部への空気の通気路を形成させて空気をキャップ外に排出し、キャップの打栓終了時に、蓋体の復元力で、蓋体をキャップ本体に対して上昇させることによりキャップ内から外部への空気の通気路が閉塞され、キャップ内が僅かに負圧になるようにしたキャップも提案されている。（例えば、特許文献１参照）
【０００４】
また、この種のキャップ本体と蓋体とからなるキャップでは、周囲にシュリンクフィルムを装着して未使用を強調することも行われている。シュリンクフィルムを収縮させる際に高温のスチームを使用するが、スチームにより蓋体に変形が生じ、温水シャワーを内部に吸い込んでしまうという不都合を生じる虞がある。
【先行技術文献】
【特許文献】
【０００５】
【特許文献１】特開２００７−０９９３１７号公報
【発明の概要】
【発明が解決しようとする課題】
【０００６】
本発明は上記した点に鑑みてなされたもので、内外からの加熱に対して変形を極力防止することができ、例えば、シュリンクフィルムの装着等のためにスチームを使用した場合でも変形を防止でき、温水シャワーによる洗浄、冷却の際に内部にシャワー水を吸い込む等の不都合のないキャップを提案する。
【課題を解決するための手段】
【０００７】
第１の手段として、以下の通り構成した。即ち、
容器体口頸部１００外周に嵌合する装着筒１０の上端より延設した頂板１１中央部に注出筒１３を立設し、注出筒１３内の頂板１１を除去可能に構成し、注出筒１３外周に環状の係止突部１６を立設してなるキャップ本体Ａ１と、
キャップ本体Ａ１の後部と周壁２０の後部とをヒンジ５０を介して連結して開閉可能に設けるとともに、周壁２０の上端縁より頂壁２１を延設し、係止突部１６の外周面を嵌合シールする係合部２３を周壁２０の内周下端部に環状に凹設してなる蓋体Ａ２とを備え、
全体を合成樹脂により形成したキャップであって、
係止突部１６の外周上部に係止突条１７を、また上記係合部２３の内周下部に係合突条２４をそれぞれ環状に突設させて、係合突条２４が係止突条１７を乗り越え係合するとともに、
この係合状態で、係合部２３の頂面を係止突部１６の上面に当接させ、かつ、蓋体Ａ２の周壁２０下面の外側周縁部に凹設された嵌合凹部２６に、キャップ本体Ａ１の上面周縁部から突設された嵌合凸部１８を嵌合させ、
嵌合凸部１８が、キャップ本体Ａ１の上面周縁部左右にそれぞれ突設し、キャップ本体Ａ１の外周面に沿った円弧状の外面を備えた円弧板状の突条形態をなし、
嵌合凹部２６が、蓋体周壁２０下面の外側周縁部左右にそれぞれ凹設され、蓋体周壁２０の外周面に沿った円弧状の外面を持つ。
【０００９】
第２の手段として、以下の通り構成した。即ち、前記第１の手段に於いて、キャップ本体Ａ１外周と、蓋体Ａ２外周との間にシュリンクフィルムｆを掛け渡し装着した。
【発明の効果】
【００１０】
本発明によれば、容器体口頸部１００外周に嵌合する装着筒１０の上端より延設した頂板１１中央部に注出筒１３を立設し、注出筒１３内の頂板１１を除去可能に構成し、注出筒１３外周に環状の係止突部１６を立設してなるキャップ本体Ａ１と、キャップ本体Ａ１にヒンジ５０を介して開閉可能に設けるとともに、周壁２０の上端縁より頂壁２１を延設し、係止突部１６の外周面を嵌合シールする係合部２３を周壁２０の内周下端部に環状に凹設してなる蓋体Ａ２とを備え、全体を合成樹脂により形成したキャップであって、
係止突部１６の外周上部に係止突条１７を、また上記係合部２３の内周下部に係合突条２４をそれぞれ環状に突設させて、係合突条２４が係止突条１７を乗り越え係合するとともに、この係合状態で、係合部２３の頂面を係止突部１６の上面に当接させ、かつ、蓋体Ａ２の周壁２０下面の外側周縁部に凹設された嵌合凹部２６に、キャップ本体Ａ１の上面周縁部から突設された嵌合凸部１８を嵌合させたので、嵌合凸部１８と嵌合凹部２６との存在に加えて、係止突部１６と係合部２３との嵌合シールが加わるため、内外からの加熱に対して変形を極力防止する対応ができ、例えば、シュリンクフィルムの装着等のためにスチームを使用した場合でも変形を防止でき、温水シャワーによる洗浄、冷却の際に内部にシャワー水を吸い込む等の虞がない。
【００１１】
嵌合凸部１８が、キャップ本体Ａ１の上面周縁部左右にそれぞれ突設し、キャップ本体Ａ１の外周面に沿った円弧状の外面を備えた円弧板状の突条形態をなし、嵌合凹部２６が、蓋体周壁２０下面周縁部左右にそれぞれ凹設し、蓋体周壁２０の外周面に沿った円弧状の外面を持つ円弧板状をなす場合には、嵌合凸部１８と嵌合凹部２６とをピッタリ嵌合させることができ、これらの存在があっても特別邪魔となる突出部を形成することはなく外観良好に形成することができる。しかも、キャップの両側に嵌合凸部１８及び嵌合凹部２６が位置しているため、ヒンジによる蓋体Ａ２の開閉と直交方向位置に両者が存在し着脱時に無理のない着脱が行える利点がある。
【００１２】
キャップ本体Ａ１外周と、蓋体Ａ２外周との間にシュリンクフィルムｆを掛け渡し装着した場合には、キャップ本体Ａ１と蓋体Ａ２とを開封前に確実に固定しておくことができ、未使用であることを容易に認知させることができ、しかもシュリンク包装の際のスチームで変形等を生じる虞がなく、温水シャワー等の洗浄、冷却を行っても内部にシャワー水が浸入する虞もない。
【図面の簡単な説明】
【００１３】
【図１】キャップの開蓋状態の平面図である。（第１実施例）
【図２】嵌合凸部と嵌合凹部の嵌合部分の要部拡大断面図である。（第１実施例）
【図３】キャップの周囲にシュリンクフィルムを装着した縦断面図である。（第１実施例）
【発明を実施するための形態】
【００１４】
以下、本発明の形態を図面を参照して説明する。
【００１５】
図１はキャップの第１実施例を示すもので、キャップＡは、キャップ本体Ａ１と、蓋体Ａ２とを、ヒンジ５０により連結して、全体を合成樹脂により一体に形成している。尚、説明の便宜上、図１に於ける下方をキャップ本体Ａ１の前部（蓋体Ａ２の後部）、上方をキャップ本体Ａ１の後部（蓋体Ａ２の前部）、左方をキャップ本体Ａ１及び蓋体Ａ２の左側部、右方をキャップ本体Ａ１及び蓋体Ａ２の右側部として説明する。
【００１６】
キャップ本体Ａ１は、装着筒１０の上端縁より頂板１１を延設した下端開口の有頂筒状をなし、装着筒１０を容器体Ｂの口頸部１００外周に嵌合させ、また、頂板１１の裏面周縁部から垂設したシール筒１２を口頸部１００内周上端部に密嵌して、容器体Ｂに装着する。
【００１７】
また、頂板１１の上面中央部に注出筒１３を起立している。注出筒１３内の頂板１１は下方へドーム状に陥没しており、陥没部分の周縁部下面に薄肉の易切断部１４を環状に凹設している。また、易切断部１４内の頂板１１上面には支柱を介してプルリング１５を起立しており、使用に当たって、このプルリング１５を掴んで引き上げる等することで、易切断部１４を切断して注出筒１３内の頂板１１を開口し、容器体Ｂ内の液の注出を可能とする。
【００１８】
また、注出筒１３の外方の頂板１１上面周縁部に環状の係止突部１６を起立している。本例に於ける係止突部１６はキャップ本体Ａ１の外周縁から内方へ間隔をあけた位置に起立した円筒状をなし、外周上部に係止突条１７を環状に突設している。この係止突部１６は、蓋体Ａ２を係止する役割を果たすとともに、蓋体Ａ２の周壁とで蓋体Ａ２内外をシールする。また、蓋体Ａ２の後述する係合部とで、キャップＡの打栓時に連通する通気路を形成する。
【００１９】
キャップ本体Ａ１の上面周縁部には嵌合凸部１８を突設している。本例に於ける嵌合凸部１８は、キャップ本体Ａ１の上面周縁部左右にそれぞれ突設し、キャップ本体Ａ１の外周面に沿った円弧状の外面を備えた円弧板状の突条形態をなしている。
【００２０】
蓋体Ａ２は、周壁２０の上端縁より頂壁２１を延設した下端開口の有頂筒状をなし、周壁２０の後部下端部と、キャップ本体Ａ１の装着筒１０後部上端部とをヒンジ５０を介して回動可能に連結している。
【００２１】
蓋体Ａ２の頂壁２１裏面中央部からは、注出筒１３に嵌合させるシール筒部２２を垂設している。シール筒部２２は、閉蓋時に、下端部を注出筒１３の内周上端部に気密に嵌合させている。
【００２２】
また、周壁２０の内周下端部に係合部２３を設けている。係合部２３は、キャップ本体Ａ１の係止突部１６の上面及び外周面を嵌合シールするもので、環状の凹部形態をなし、内周下部に係合突条２４を環状に突設している。図示例に於いて係合部２３は、頂面を係止突部１６の上面に気密に当接しており、また、係合突条２４を係止突条１７に乗り越え係合させて、この部分でも気密にシールしている。また、周壁２０の前面下部より前方へ指掛け用の突起２５を突設している。
【００２３】
尚、キャップＡは、例えば、殺菌用に加熱した収容液を充填した容器体Ｂに上方より打栓する。その際口頸部１００外周に装着筒１０を嵌着し、シール筒１２を口頸部１００内周上端部に嵌着して固定されたキャップ本体Ａ１に対して、蓋体Ａ２が常態より下方へ移行した状態となり、係止突部１６に対して係合部２３が外方下方へずれた状態となり、ここに隙間が生じて連通し、キャップ内外を連通する通気路が連通し、その結果、加熱による内圧上昇されたキャップＡ内の空気が通気路を介して外部に排出される。
【００２４】
また、蓋体Ａ２の周壁下面周縁部には嵌合凹部２６を凹設している。嵌合凹部２６は、嵌合凸部１８と対向する蓋体Ａ２の周壁２０下面周縁部に凹設したもので、閉蓋時に嵌合凸部１８が嵌合する。
【００２５】
本例では、蓋体周壁２０下面周縁部左右にそれぞれ嵌合凹部２６を凹設しており、各嵌合凹部２６は、蓋体周壁２０の外周面に沿った円弧状の外面を備える。
【００２６】
上記の如く構成したキャップＡは、係止突部１６に係合部２３が嵌合してこの部分で内外がシールされており、各嵌合凹部２６に各嵌合凸部１８が嵌合してキャップ本体Ａ１に対して蓋体Ａ２をしっかりと固定している。特に、嵌合凸部１８の存在で蓋体周壁２０が外方へ広がる如く変形するのを確実に防止できる。
【００２７】
尚、上記嵌合凸部１８及び嵌合凹部２６は上記例に限らず、本発明に於いては，キャップ本体Ａ１の上面周縁部と蓋体Ａ２の周壁２０下面周縁部とのいずれか一方に嵌合凸部１８を突設するとともに、いずれか他方に嵌合凸部１８が嵌合する嵌合凹部２６を凹設することが可能である。また、その形状も蓋体Ａ２をキャップ本体Ａ１に閉じた際に互いに嵌合可能であれば種々選択できる。
【００２８】
そして、例えば、図３に示す如く、殺菌用に加熱した収容液を充填した容器体Ｂに上方より打栓した後、温水シャワーによる洗浄、冷却を行い、しかる後外周にシュリンクフィルムｆを加熱収縮して装着する。その際、シュリンクフィルムを加熱収縮するスチームで蓋体Ａ２が変形することはなく、温水シャワー後にキャップ本体Ａ１と蓋体Ａ２との間（キャップ本体Ａ１上端の周縁部）に残ったシャワー水が、シュリンクフィルム装着時のスチームの熱によりキャップ内に引き込まれることを確実に防止できる。
【符号の説明】
【００２９】
Ａ：キャップ
Ａ１：キャップ本体
１０…装着筒、11…頂板、１２…シール筒、１３…注出筒、１４…易切断部
１５…プルリング、１６…係止突部、１７…係止突条、１８…嵌合凸部
Ａ２：蓋体
２０…周壁、２１…頂壁、２２…シール筒部、２３…係合部、２４…係合突条、
２５…指掛け用の突起、２６…嵌合凹部
５０…ヒンジ
Ｂ：容器体
１００…口頸部
ｆ：シュリンクフィルム
【図１】
0006054037.tif 000002
【図２】
0006054037.tif 000003
【図３】
0006054037.tif 000004